(57)【要約】【課題】本発明は、用途に合せて複数のタイプの眼鏡と同様に複数のパターンで装着することができる鼻掛け用眼鏡を提供することを目的とする。【解決手段】鼻掛け用眼鏡は、一対のレンズ１を保持するレンズ枠体２と、レンズ１の間を所定間隔に保持する弾性変形可能なブリッジ部材３と、レンズ１の間においてレンズ枠体２に取り付けられた一対の鼻掛け部材４と、レンズ１の周縁の少なくとも一部に沿うように形成された一対のブロー部材５と、レンズ１の鼻掛け部材４とは反対側においてレンズ枠体２にブロー部材５の一端を回動可能に取り付ける蝶番６とを備え、ブロー部材５は、レンズ１の周縁に沿ったブロー位置及び当該ブロー位置から両側に開くように回動してテンプルとして用いられるテンプル位置に位置決めされる。【選択図】図２
2011033733.tif 000002
【特許請求の範囲】
【請求項１】
一対のレンズを保持する保持部材と、前記保持部材に取り付けられるとともに前記レンズの間を所定間隔に保持する弾性変形可能なブリッジ部材と、前記レンズの間において前記保持部材に取り付けられた一対の鼻掛け部材と、前記レンズの周縁の少なくとも一部に沿うように形成された一対のブロー部材と、前記レンズの前記鼻掛け部材とは反対側において前記保持部材に前記ブロー部材の一端を回動可能に取り付ける蝶番部材とを備え、前記ブロー部材は、前記レンズの周縁に沿ったブロー位置及び当該ブロー位置から両側に開くように回動してテンプルとして用いられるテンプル位置に位置決めされることを特徴とする鼻掛け用眼鏡。
【請求項２】
前記ブロー部材は、前記レンズの周縁の上側又は下側に沿うように形成されており、前記レンズの周縁は、少なくとも前記ブロー位置に対向する部分が露出した状態となっていることを特徴とする請求項１に記載の鼻掛け用眼鏡。
【請求項３】
前記ブロー部材は、その他端を前記ブリッジ部材の前側に係止することで前記ブロー位置に位置決めされることを特徴とする請求項１又は２に記載の鼻掛け用眼鏡。
【請求項４】
前記ブロー部材は、前記蝶番部材に取り付けられる基体部及び当該基体部に移動可能に装着された可動部を備えており、前記可動部を移動させることで前記ブロー部材の長さが調整されることを特徴とする請求項１から３のいずれかに記載の鼻掛け用眼鏡。
【請求項５】
一対の前記鼻掛け部材は、末広がりに湾曲形成されていることを特徴とする請求項１から４のいずれかに記載の鼻掛け眼鏡。
【発明の詳細な説明】
【技術分野】
【０００１】
本発明は、複数のパターンで装着することができる鼻掛け用眼鏡に関する。
【背景技術】
【０００２】
眼鏡は、レンズを保持するレンズ枠体に蝶番を介してテンプルを取り付けてテンプルが折り畳めるように構成されているのが一般的である。こうした一般的な眼鏡以外にも、レンズを保持するレンズ枠体に鼻に掛ける支持部材のみを設けた鼻眼鏡や一般的な眼鏡のテンプルの代わりに短い長さの支持部材を取り付けて顔面のこめかみ部分で支持するようにした眼鏡等が使用されている。
【０００３】
例えば、特許文献１では、着脱が容易で安定して鼻に掛ける鼻掛け用眼鏡が記載されており、特許文献２では、折り畳みが容易なこめかみ部分に短いテンプルを圧接して支持する眼鏡が記載されている。こうした眼鏡は、新聞等を読む際に一時的に装着するもので、そのため着脱が容易になるように工夫されている。
【０００４】
また、眼鏡を外してテンプルを折り畳んで収納する際にコンパクトな状態にするために、例えば、特許文献３では、テンプルの長さがフロント部の幅のほぼ半分に設定して、テンプルがフロント部の上方に折り畳まれるようにした点が記載されている。また、特許文献４では、テンプルを折り畳んでフロントの上端縁に乗るようにした点が記載されている。
【先行技術文献】
【特許文献】
【０００５】
【特許文献１】特開２００６−１６２９０８号公報
【特許文献２】実開平４−６７６１８号公報
【特許文献３】実開平１−６４６１６号公報
【特許文献４】実開平５−４５６３５号公報
【発明の概要】
【発明が解決しようとする課題】
【０００６】
上述したように、用途に合わせて様々なタイプの眼鏡が提案されているが、各タイプの眼鏡を揃えることは購入費用が嵩み、使用しない眼鏡を携帯又は保管する手間がかかって利便性が悪いといった問題がある。
【０００７】
そこで、本発明は、用途に合せて複数のタイプの眼鏡と同様に複数のパターンで装着することができる鼻掛け用眼鏡を提供することを目的とする。
【課題を解決するための手段】
【０００８】
本発明に係る鼻掛け用眼鏡は、一対のレンズを保持する保持部材と、前記保持部材に取り付けられるとともに前記レンズの間を所定間隔に保持する弾性変形可能なブリッジ部材と、前記レンズの間において前記保持部材に取り付けられた鼻掛け部材と、前記レンズの周縁の少なくとも一部に沿うように形成された一対のブロー部材と、前記レンズの前記鼻掛け部材とは反対側において前記保持部材に前記ブロー部材の一端を回動可能に取り付ける蝶番部材とを備え、前記ブロー部材は、前記レンズの周縁に沿ったブロー位置及び当該ブロー位置から両側に開くように回動してテンプルとして用いられるテンプル位置に位置決めされることを特徴とする。さらに、前記ブロー部材は、前記レンズの周縁の上側又は下側に沿うように形成されており、前記レンズの周縁は、少なくとも前記ブロー位置に対向する部分が露出した状態となっていることを特徴とする。さらに、前記ブロー部材は、その他端を前記ブリッジ部材の前側に係止することで前記ブロー位置に位置決めされることを特徴とする。さらに、前記ブロー部材は、前記蝶番部材に取り付けられる基体部及び当該基体部に移動可能に装着された可動部を備えており、前記可動部を移動させることで前記ブロー部材の長さが調整されることを特徴とする。さらに、一対の前記鼻掛け部材は、末広がりに湾曲形成されていることを特徴とする。
【発明の効果】
【０００９】
本発明は、上記のような構成を有することで、ブロー部材を回動可能に取り付けて、鼻掛け用眼鏡として使用する場合には、ブロー部材をレンズの周縁に沿ったブロー位置に位置決めして使用し、またブロー部材を両側に開いてテンプル位置に位置決めしテンプルとして使用して装着することができる。
【００１０】
レンズの間を所定間隔で保持するブリッジ部材に弾性変形可能な材料を用いているので、ブロー部材をブロー位置に位置決めして鼻掛け用として装着する場合に、鼻掛け部材の間に鼻を挟持する際にブリッジ部材の弾性力により鼻掛け部材が開かない方向に付勢力が作用して鼻掛け部材が鼻に挟圧されて安定した状態で眼鏡を装着できる。また、ブロー部材を両側に開いてテンプル位置に位置決めしてブロー部材を顔面の側面に圧接して装着する場合に、ブリッジ部材の弾性力により開いたブロー部材が開かない方向に付勢力が作用してブロー部材が顔面の両側面に圧接されて安定した状態で眼鏡を装着できる。
【００１１】
そのため、鼻掛け用眼鏡をテンプルにより装着する眼鏡としても使用することができ、１つの眼鏡を複数のパターンで装着することが可能となる。
【００１２】
また、ブロー部材をレンズの周縁の上側又は下側に沿うように形成し、レンズの周縁の少なくともブロー位置に対向する部分が露出した状態にすれば、ブロー付きの鼻掛け用眼鏡としてこれまでの眼鏡と遜色のないデザインを備えることができる。
【００１３】
また、ブロー部材の他端をブリッジ部材の前側に係止してブロー位置にブロー部材を位置決めすれば、一端を回動可能に取り付けたブロー部材を安定した状態で位置決め保持することができる。
【００１４】
ブロー部材を蝶番部材に取り付けられる基体部及び当該基体部に移動可能に装着された可動部から構成し、可動部を移動させることでブロー部材の長さを調整すれば、ブロー部材をテンプルとして使用した場合に、顔面の側面のこめかみに圧接する短いテンプルとして使用したり、耳掛け用の長いテンプルとして使用することができる。
【図面の簡単な説明】
【００１５】
【図１】本発明に係る鼻掛け用眼鏡に関する平面図である。
【図２】本発明に係る鼻掛け用眼鏡に関する正面図である。
【図３】鼻掛け部材に関する側面図である。
【図４】蝶番を眼鏡の側面から見た側面図である。
【図５】図１に示す鼻掛け用眼鏡を装着した状態に関する斜視図である。
【図６】図１においてブロー部材を後側に開いた状態に関する平面図である。
【図７】図１においてブロー部材を後側に開いた状態に関する正面図である。
【図８】図１に示す鼻掛け眼鏡のブロー部材を開いた状態で装着した状態に関する斜視図である。
【図９Ａ】ブロー部材に関する平面図である。
【図９Ｂ】ブロー部材を長くした状態に関する平面図である。
【図９Ｃ】ブロー部材に関する断面図である。
【図１０】図１に示す鼻掛け眼鏡のブロー部材を長くした状態で装着した状態に関する斜視図である。
【図１１】鼻掛け用眼鏡を折り曲げて保管する場合に関する説明図である。
【図１２】鼻掛け用眼鏡を折り曲げて保管する場合に関する説明図である。
【図１３】鼻掛け用眼鏡の変形例に関する正面図である。
【図１４】鼻掛け用眼鏡の変形例に関する正面図である。
【図１５】鼻掛け用眼鏡の変形例に関する正面図である。
【図１６】鼻掛け用眼鏡の変形例に関する正面図である。
【発明を実施するための形態】
【００１６】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１７】
図１及び図２は、本発明に係る鼻掛け用眼鏡に関する平面図及び正面図である。一対のレンズ１は、保持部材であるレンズ枠体２にそれぞれ保持されている。レンズ枠体２のレンズ１の上側に対応する部分は欠けており、レンズ１の周縁部の上側が露出した状態となっている。レンズ１の上側の露出部分には、レンズ枠体２の切欠き部分に張設されたナイロン糸２１が当接しており、レンズ１をレンズ枠体２に保持している。
【００１８】
レンズ１の間には、ワイヤ状のブリッジ部材３が一対のレンズ枠体２に固定されている。ブリッジ部材３は、弾性変形可能な樹脂材料又は金属材料からなり、上方に湾曲するように形成されている。そして、ブリッジ部材３の湾曲部分の両側がそれぞれレンズ枠体２の端部に固定されている。
【００１９】
ブリッジ部材３を構成するワイヤ材は、レンズ枠体２の固定部分から下方に延設されて、一対の鼻掛け部材４が形成されている。図３は、鼻掛け部材４に関する側面図である。鼻掛け部材４は、折り返して二重になるように折り曲げられて形成されており、二重になった部分にはシリコン等の合成樹脂製のチューブ４０が装着されている。鼻掛け部材４は、下方に行くに従い末広がりに拡がるように湾曲形成されており、チューブ４０により鼻掛け時の滑り止め及び装着感を向上させるようにしている。なお、鼻掛け部材４は折り返すことなく１本のワイヤ材で構成してもよい。
【００２０】
レンズ枠体２の鼻掛け部材４が設けられた側とは反対側には、取付部材２０が固定されている。取付部材２０は、上方に向かって延設されており、その上端には蝶番６を介してブロー部材５の一端が回動可能に取り付けられている。
【００２１】
図４は、蝶番６を眼鏡の側面から見た側面図である。取付部材２０は上方に行くに従いレンズ枠体２に対して前側に傾斜するように取り付けられており、上端に固定された蝶番６のコマ部６０は、後方に向かって突出するように形成されている。コマ部６０はレンズ１の周縁の上側とほぼ同じ高さの位置に設けられており、コマ部６０にはブロー部材５の一端に形成された二股のコマ部５０及び５１が上下に当接するように取り付けられている。そして、コマ部５０及び５１とコマ部６０とがネジ６１により連結されて、ブロー部材５は一端を中心にほぼ水平方向に回動することができるように取り付けられる。
【００２２】
ブロー部材５は、レンズ１の周縁の上側に沿うように形成されており、ブロー部材５を回動させてレンズ１の上側の周縁部が露出した箇所に対向する位置（ブロー位置に相当）に設定された状態では、図２に示すように、レンズ１の上側に配置されたブロー部材５が眼鏡デザインのブローとしての役割を果たすようになる。ブロー位置では、ブロー部材５の他端に形成された窪み５２がブリッジ部材３の前側に当接してブロー部材５が係止した状態に設定される。
【００２３】
ブロー部材５は、ブロー位置に設定した状態では、蝶番６にコマ部５０及び５１が当接してブロー位置より前側に回動しないようになっている。そのため、ブロー部材５をブロー位置に設定した状態で他端側を前側に湾曲変形させて窪み５２をブリッジ部材３に引っ掛けるように係止させれば、ブロー部材５をブロー位置に位置決めして安定した状態で保持することができる。
【００２４】
図５は、鼻掛け用眼鏡を装着した状態に関する斜視図である。鼻掛け用眼鏡を装着する場合には、鼻掛け部材４を鼻Ｎの両側に沿うように押し込んでいくと、ブリッジ部材３が開くように弾性変形し、鼻掛け部材４が鼻Ｎの両側から挟圧するように作用して安定した装着状態を実現することができる。
【００２５】
図６及び図７は、ブロー部材５を後側に開いた状態に関する平面図及び正面図である。ブロー部材５は、ブロー位置から水平方向に回動してレンズ１に対してほぼ直交する位置（テンプル位置に相当）に設定される。ブロー部材５の他端側にはバネ部材（図示せず）が内蔵されて公知のバネ蝶番構造を備えており、テンプル位置にブロー部材５が回動するとバネ部材により当接部材が蝶番６に圧接されることで、テンプル位置にブロー部材５が位置決めされて安定した状態で保持されるようになる。
【００２６】
図８は、ブロー部材５を開いた状態で眼鏡を装着した状態に関する斜視図である。テンプル位置では、ブロー部材５は、従来の眼鏡と同様に顔面の側面に当接してテンプルと同様の機能を果たすようになる。この例では、ブロー部材５の長さが短いため、ブロー部材５の他端部分が顔面のこめかみ部分に当接した状態で保持される。眼鏡を装着する際に、ブロー部材５は蝶番６において位置決めされて両側に開く方向に回動しないので、ブリッジ部材３が弾性変形してブロー部材５が両側に開くようになる。そのため、ブリッジ部材３の弾性力によりブロー部材５が顔面の側面に圧接すように作用して安定した装着状態を実現することができる。
【００２７】
そして、ブロー部材５の長さを調整できるようにすれば、使用者の顔面形状に合わせてテンプルとして使用するブロー部材５を最適な形状に設定することができる。図９Ａから図９Ｃは、ブロー部材５に関する平面図である。図９Ａに示すように、ブロー部材５は、根元部５３から針状に突出する芯部５４に棒状の可動部材５５が挿着されている。可動部材５５は、ナイロン樹脂等の合成樹脂材料からなり、中心部には軸方向に沿って挿着孔が形成されている。芯部５４は挿着孔に挿入されており、図９Ｂに示すように、可動部材５５を芯部５４から引き出すことでブロー部材５の長さを調整することができる。図９Ｃは、可動部材５５の軸方向に沿う断面図を示している。可動部材５５の挿着孔５７の開口は狭く形成されており、芯部５４の先端に形成された突起部５６が挿着孔５７の開口に引っ掛かることで可動部材５５の抜け止めが図られている。また、突起部５６が挿着孔５７内を押し開きながら摺動するので、任意の長さの位置まで可動部材５５を引き出せばその位置で可動部材５５をずれることなく保持することができる。
【００２８】
図１０は、ブロー部材５の長さを長くした状態で眼鏡を装着した状態に関する斜視図である。長くなったブロー部材５の他端が使用者の耳に掛かる状態となっているので、通常の眼鏡のテンプルと同様に耳に掛けて常時装着するように設定することができる。
【００２９】
以上説明したように、鼻掛け用眼鏡を通常の眼鏡と同様に使用することができ、用途に合わせて複数のパターンで装着することが可能となる。
【００３０】
図１１及び図１２は、鼻掛け用眼鏡を折り曲げて保管する場合に関する説明図である。この例では、ブリッジ部材３が超弾性素材等の弾性変形可能な材料からなっているので、レンズ１が重なる位置までブリッジ部材３を湾曲変形させることができる。したがって、図１１に示すように、ブリッジ部材３を湾曲変形させていき、図１２に示すように、一対のレンズ１を重なるように折り畳むことで、鼻掛け眼鏡をコンパクトな状態で保管することが可能となる。また、図１２に示すようなレンズ１を二重に重ね合わせた状態で拡大レンズとして使用することもできる。
【００３１】
図１３から図１６は、鼻掛け用眼鏡の変形例に関する正面図である。これらの例では、左側のブロー部材がブロー位置に設定され、右側のブロー部材がテンプル位置に設定されている。図１３は、ツーポイントタイプの眼鏡に適用した例であり、レンズ１０は両側で保持部材２２及び２３により二点支持されている。内側の保持部材２２には、ブリッジ部材３及び鼻掛け部材４が固定されており、外側の保持部材２３には、蝶番６を介してブロー部材５が回動可能に保持されている。この例では、ブロー部材５はレンズ１０の周縁の下側に沿うように形成されており、いわゆるアンダーブローのデザインになっている。
【００３２】
そして、図１に示す例と同様に、ブロー部材５をブロー位置に設定することで鼻掛け用眼鏡として装着でき、ブロー部材５を後側に回動してテンプル位置に設定することで、通常の眼鏡と同様にブロー部材５を顔面の側面に圧接させて装着することができる。
【００３３】
図１４は、図１３と同様にツーポイントタイプの眼鏡に適用した例であり、この例では、レンズ１０の周縁の全周に沿うように形成されたブロー部材５３が取り付けられている。この例でもブロー部材５３をブロー位置に設定してレンズ１０を囲むように配置し、テンプル位置に設定してテンプルとして使用することができる。
【００３４】
図１５は、レンズ１１の周囲に全周にわたってレンズ枠体２４を取り付けて保持し、レンズ枠体２４の間をブリッジ部材３０により連結している。そして、ブリッジ部材３０の下方には鼻掛け部材４１がレンズ枠体２４の内側に設けられており、鼻掛け部材４１は、下端のみがレンズ枠体２４に固定されて上方に延設されている。鼻掛け部材４１をこのように取り付けることで、上端を固定する場合に比べて強度を高めることができる。レンズ枠体２４の外側には、取付部材２５が設けられており、取付部材２５の上端には蝶番６を介してブロー部材５が回動可能に取り付けられている。
【００３５】
そして、図１に示す例と同様に、ブロー部材５をブロー位置に設定することで鼻掛け用眼鏡として装着でき、ブロー部材５を後側に回動してテンプル位置に設定することで、通常の眼鏡と同様にブロー部材５を顔面の側面に圧接させて装着することができる。
【００３６】
図１６は、楕円形状のレンズ１２の周縁の上側を露出させた状態でレンズ枠体２６により保持している。そして、レンズ枠体２６の間をブリッジ部材３により連結し、ブリッジ部材３０の下方には鼻掛け部材４２がレンズ枠体２６の内側に設けられている。鼻掛け部材４２は、下端のみがレンズ枠体２６に固定されて上方に延設されている。レンズ枠体２６の外側には、取付部材２７が設けられており、取付部材２７の上端には蝶番６を介してブロー部材５が回動可能に取り付けられている。
【００３７】
以上のように、本発明は様々なデザインの眼鏡に適用することができ、使用者の好みや用途に幅広く対応することが可能である。
【符号の説明】
【００３８】
１    レンズ
２    レンズ枠体
３    ブリッジ部材
４    鼻掛け部材
５    ブロー部材
６    蝶番
【図１】
2011033733.tif 000003
【図２】
2011033733.tif 000004
【図３】
2011033733.tif 000005
【図４】
2011033733.tif 000006
【図５】
2011033733.tif 000007
【図６】
2011033733.tif 000008
【図７】
2011033733.tif 000009
【図８】
2011033733.tif 000010
【図９Ａ】
2011033733.tif 000011
【図９Ｂ】
2011033733.tif 000012
【図９Ｃ】
2011033733.tif 000013
【図１０】
2011033733.tif 000014
【図１１】
2011033733.tif 000015
【図１２】
2011033733.tif 000016
【図１３】
2011033733.tif 000017
【図１４】
2011033733.tif 000018
【図１５】
2011033733.tif 000019
【図１６】
2011033733.tif 000020